(57)【要約】【課題】  メダル洗浄装置の吸水ローラの目詰まりを防止して、メンテナンス性を向上させる。【解決手段】  メダル１を移送するメダル移送手段３と、このメダル移送手段３にて移送されるメダル１を洗浄液で洗浄する洗浄手段４と、この洗浄手段４においてメダル１に付着した洗浄液をメダル１の板厚方向で挟み込んで吸収する一対の吸水ローラ５ａ，５ｂと、この一対の吸水ローラ５ａ，５ｂのそれぞれに押圧されて吸水ローラ５ａ，５ｂに吸収された洗浄液を絞り取る絞りローラ５ｃ，５ｄと、上記一対の吸水ローラ５ａ，５ｂのそれぞれに押し付けられて吸水ローラ５ａ，５ｂの表面に付着した異物を掻き取る清掃ブラシ５ｍ，５ｎとを備えたメダル洗浄装置。【選択図】      図２
2005192602.tif 000002
【特許請求の範囲】
【請求項１】
メダルを移送するメダル移送手段と、このメダル移送手段にて移送されるメダルを洗浄液で洗浄する洗浄手段と、この洗浄手段においてメダルに付着した洗浄液をメダルの板厚方向で挟み込んで吸収する一対の吸水ローラと、この一対の吸水ローラのそれぞれに押圧されて吸水ローラに吸収された洗浄液を絞り取る絞りローラと、上記一対の吸水ローラのそれぞれに押し付けられる清掃ブラシとを備えたことを特徴とするメダル洗浄装置。
【請求項２】
上記清掃ブラシは、上記メダル洗浄装置に着脱可能に取付けられていることを特徴とする請求項１に記載のメダル洗浄装置。
【請求項３】
上記一対の吸水ローラと、上記絞りローラとを一体に組み込んだ乾燥ユニットを備え、この乾燥ユニットが上記メダル洗浄装置に着脱可能に取付けられているとともに、この乾燥ユニットに上記清掃ブラシが着脱可能に取付けられていることを特徴とする請求項２に記載のメダル洗浄装置。
【請求項４】
上記絞りローラは、当該絞りローラが押し付けられている吸水ローラの回転に伴ってその回転方向と逆方向に回転することを特徴とする請求項１乃至３のいずれか１項に記載のメダル洗浄装置。
【請求項５】
上記洗浄手段は、メダルをブラッシングする洗浄ブラシと、この洗浄ブラシの上流側に設けられ、回転しながらブラシの先端で余分なメダルを排除する整列ブラシとを備え、上記整列ブラシは、メダルを一枚ずつ通過させることができる間隙を移送手段との間に設けるように、移送手段の上方に配置されることにより、一枚を越える余分なメダルを排除することを特徴とする請求項１乃至４のいずれか１項に記載のメダル洗浄装置。
【発明の詳細な説明】
【技術分野】
【０００１】
本発明は、例えばスロットマシンなどで用いられるメダルを洗浄するメダル洗浄装置に関するものである。
【背景技術】
【０００２】
スロットマシンなどで用いられるメダルを洗浄するメダル洗浄装置としては、一般に、メダルを移送するメダル移送手段と、このメダル移送手段にて移送されるメダルを洗浄液で洗浄する洗浄手段と、この洗浄手段においてメダルに付着した洗浄液を除去する洗浄液除去手段とを備えたものが知られている。
【０００３】
例えば、本発明に係る出願人による特許文献１には、メダル供給装置を構成する装置の１つとして、洗浄液を回転ブラシに供給し、この回転ブラシでメダルに付着している汚れを掻き落とす洗浄手段と、その洗浄後、メダルに付着した洗浄液を上下一対の吸水ローラでメダルの板厚方向で挟み込んで吸収する洗浄液除去手段とを備えたメダル洗浄装置が記載されている。
【０００４】
このメダル洗浄装置において、上記吸水ローラの表面には、メダルに付着した洗浄液を吸収するために、スポンジ状の樹脂材料等が貼り付けられており、さらにこのメダル洗浄装置には、上記吸水ローラのそれぞれに押圧されて吸水ローラに吸収された洗浄液を絞り取る絞りローラが設けられている。
【特許文献１】特開２０００−２９６２５６号公報
【発明の開示】
【発明が解決しようとする課題】
【０００５】
しかしながら、このメダル洗浄装置では、上記洗浄手段でメダルに付着している汚れをメダルの表面から掻き落としたとしてもその汚れは洗浄液の中に混ざっており、この洗浄液が付着したメダルを上記洗浄液除去手段の吸水ローラで挟み込んで当該洗浄液を吸収した時には、その洗浄液中に含まれる汚れが吸水ローラの表面に付着して吸水ローラの目詰まりを起こすことがあった。そのため、このメダル洗浄装置では、上記吸水ローラに目詰まりが発生する度にあるいは定期的に、この吸水ローラをメダル洗浄装置から取外して清掃する必要があり、メンテナンスに手間がかかっていた。
【０００６】
本発明は、このような事情に鑑み、上記吸水ローラの目詰まりを防止してメダル洗浄装置のメンテナンス性を向上させることを目的とする。
【課題を解決するための手段】
【０００７】
請求項１に係る発明は、メダルを移送するメダル移送手段と、このメダル移送手段にて移送されるメダルを洗浄液で洗浄する洗浄手段と、この洗浄手段においてメダルに付着した洗浄液をメダルの板厚方向で挟み込んで吸収する一対の吸水ローラと、この一対の吸水ローラのそれぞれに押圧されて吸水ローラに吸収された洗浄液を絞り取る絞りローラと、上記一対の吸水ローラのそれぞれに押し付けられる清掃ブラシとを備えたメダル洗浄装置である。
【０００８】
請求項２に係る発明は、上記請求項１に記載のメダル洗浄装置において、上記清掃ブラシが上記メダル洗浄装置に着脱可能に取付けられているものである。
【０００９】
請求項３に係る発明は、上記請求項２に記載のメダル洗浄装置において、上記一対の吸水ローラと、上記絞りローラとを一体に組み込んだ乾燥ユニットを備え、この乾燥ユニットが上記メダル洗浄装置に着脱可能に取付けられているとともに、この乾燥ユニットに上記清掃ブラシが着脱可能に取付けられているものである。
【００１０】
請求項４に係る発明は、上記請求項１乃至３のいずれか１項に記載のメダル洗浄装置において、上記絞りローラが、当該絞りローラが押し付けられている吸水ローラの回転に伴ってその回転方向と逆方向に回転するものである。
【００１１】
請求項５に係る発明は、上記請求項１乃至４のいずれか１項に記載のメダル洗浄装置において、上記洗浄手段は、メダルをブラッシングする洗浄ブラシと、この洗浄ブラシの上流側に設けられ、回転しながらブラシの先端で余分なメダルを排除する整列ブラシとを備え、上記整列ブラシは、メダルを一枚ずつ通過させることができる間隙を移送手段との間に設けるように、移送手段の上方に配置されることにより、一枚を越える余分なメダルを排除するものである。
【発明の効果】
【００１２】
請求項１に係る発明によれば、メダル洗浄後の汚れを含んだ洗浄液が付着したメダルを挟み込んで当該洗浄液を吸収する吸水ローラに清掃ブラシを押し付けることによって、この吸水ローラが上記洗浄液を吸収した時に当該吸水ローラの表面に付着する洗浄液中に含まれる汚れを、吸水ローラの回転により上記清掃ブラシで掻き取ることができ、吸水ローラの目詰まりを防止することができる。よって、このメダル洗浄装置を運転しながら上記吸水ローラを清掃できるため、従来のメダル洗浄装置のように頻繁に吸水ローラを取外して清掃することを要せず、メダル洗浄装置のメンテナンス性を向上させることができる。
【００１３】
請求項２に係る発明によれば、上記清掃ブラシがメダル洗浄装置に着脱可能に取付けられているために、上記吸水ローラとの磨耗や劣化によって清掃ブラシが損傷したときでも容易に清掃ブラシを取替えることができる。
【００１４】
請求項３に係る発明によれば、上記一対の吸水ローラとこの吸水ローラのそれぞれに押圧される絞りローラとを一体に組み込んだ乾燥ユニットが、メダル洗浄装置に着脱可能に取付けられているとともに、この乾燥ユニットに上記清掃ブラシが着脱可能に取付けられていることにより、上記清掃ブラシを容易に取替えることができるだけでなく、この乾燥ユニットをメダル洗浄装置から取外して上記吸水ローラ及び絞りローラを容易にメンテナンスできるとともに、これらの機器を容易に交換することができる。
【００１５】
請求項４に係る発明によれば、上記絞りローラは、上記吸水ローラの回転に伴ってその回転方向と逆方向に回転することにより、これら絞りローラと吸水ローラとの間の摩擦を低減させることができ、この摩擦によって生じる吸水ローラの磨耗を抑制することができる。よって、上記清掃ブラシと上記吸水ローラとの押し付け力の調整頻度を低減させることができる。
【００１６】
請求項５に係る発明によれば、整列ブラシが、回転しながらブラシの先端で一枚を越える余分なメダルを排除するとともに、洗浄ブラシが、整列ブラシと移送手段との間の間隙を通過したメダルを一枚ずつブラッシングするので、メダル洗浄装置に供給されたすべてのメダルをもれなく洗浄することができる。
【発明を実施するための最良の形態】
【００１７】
本発明を実施するための最良の形態を図面に基づいて説明する。
【００１８】
図１は、本発明の実施の形態に係るメダル洗浄装置１０がケース７に収容されたときの外観を示す斜視図であり、図２は、メダル洗浄装置１０の構成を示す側面断面図である。
【００１９】
メダル洗浄装置１０は、本体２の中に、メダル１を移送するメダル移送手段３と、このメダル移送手段３にて移送されるメダル１を洗浄液で洗浄する洗浄手段４と、この洗浄手段４においてメダル１に付着した洗浄液を除去する洗浄液除去手段５とを備えている。
【００２０】
上記メダル１は、各種遊技において貨幣に代わる遊技媒体として用いられる円形コイン状の金属製部材であり、本実施形態においては、スロットマシンに用いられるメダルが対象となっている。
【００２１】
上記本体２は、ステンレスや合成樹脂被覆鋼板などで概ね矩形に組み立てられた箱体である。この本体２内の上部には傾斜板２ａが設けられ、この傾斜板２ａ上にメダル１が投入されると、このメダル１が上記傾斜板２ａの上を滑り、傾斜板２ａの下端の下方に設けられたメダル移送手段３上に落下するように構成されている。
【００２２】
上記メダル移送手段３は、無端ベルト３ａと、この無端ベルト３ａが掛け渡された２つの回転ローラ３ｂ，３ｃとを有している。
【００２３】
ここで、一方の回転ローラ３ｂは、後述する駆動機構６のモータ６ａ（図６）により駆動され、他方の回転ローラ３ｃは、無端ベルト３ａを介して回転ローラ３ｂに従動するように構成されている。また、一方の回転ローラ３ｂは、他方の回転ローラ３ｃよりも高い位置に配されているので、無端ベルト３ａは傾斜している。そして、無端ベルト３ａ上のメダル１を低い位置の回転ローラ３ｃ側から高い位置の回転ローラ３ｂ側へ送るように、ローラの回転方向が設定されている。また、この無端ベルト３ａの低い位置の回転ローラ３ｃ側には、傾斜板２ａから落下したメダル１を無端ベルト３ａから脱落しないように拘束する脱落防止板２ｂが設けられている。
【００２４】
上記洗浄手段４は、メダル１をメダル移送手段３の上で洗浄するものであり、無端ベルト３ａの上側であって高い位置の回転ローラ３ｂ側寄りの位置に設けられ、回転しながらメダル１をブラッシングする洗浄ブラシ４ａと、この洗浄ブラシ４ａの上流側に設けられ、回転しながらブラシの先端で余分なメダル１を排除する整列ブラシ４ｂとを備えている。
【００２５】
ここで、洗浄ブラシ４ａと整列ブラシ４ｂとは、図２において反時計回りに回転し、洗浄ブラシ４ａと整列ブラシ４ｂの無端ベルト３ａ側の部分は無端ベルト３ａの上面の移動方向（メダル移送方向）とは逆方向に移動するようになっている。
【００２６】
また、整列ブラシ４ｂは、メダル１を一枚ずつ通過させることができる間隙を移送手段３との間に設けるように、移送手段３の上方に配置されることにより、一枚を越える余分なメダル１を排除するように構成されている。
【００２７】
また、洗浄ブラシ４ａと整列ブラシ４ｂとの上側は、仕切り板２ｃ，２ｄ及び上記傾斜板２ａで覆われていて、その内側には洗浄液として水を噴射する散水管４ｃが設けられている。そして、この散水管４ｃからの水は、洗浄ブラシ４ａと整列ブラシ４ｂとに対して散水されることにより、整列ブラシ４ｂの下を一枚ずつ通過するメダル１に供給され、洗浄ブラシ４ａがメダル１に付着している汚れを掻き落とすように構成されている。
【００２８】
上記洗浄液除去手段５は、洗浄手段４においてメダル１に付着した洗浄液を除去するものであって、洗浄手段４においてメダル１に付着した洗浄液をメダル１の板厚方向で挟み込んで吸収する上下一対の吸水ローラすなわち上側吸水ローラ５ａ及び下側吸水ローラ５ｂと、この上下一対の吸水ローラ５ａ，５ｂのそれぞれに押圧されて回転しながら吸水ローラ５ａ，５ｂに吸収された洗浄液を絞り取る絞りローラすなわち上側絞りローラ５ｃ及び下側絞りローラ５ｄとを備えている。
【００２９】
さらに、この洗浄液除去手段５は、上記上下一対の吸水ローラ５ａ，５ｂのそれぞれに押し付けられて、この吸水ローラ５ａ，５ｂが回転することによりその表面に付着した異物を掻き取る清掃ブラシすなわち上側清掃ブラシ５ｍ及び下側清掃ブラシ５ｎを備えている。
【００３０】
そして、上側絞りローラ５ｃは、上側吸水ローラ５ａの回転方向においてメダル１との接触位置の下流側に設けられており、この上側絞りローラ５ｃの下方に配置された排水受け５ｆが、上側吸水ローラ５ａから絞り取られた洗浄液を受けるように構成されている。また、この上側絞りローラ５ｃのさらに下流側には、上記上側清掃ブラシ５ｍが設けられている。
【００３１】
一方、下側絞りローラ５ｄは、下側吸水ローラ５ｂの回転方向においてメダル１との接触位置の上流側に設けられており、下側吸水ローラ５ｂから絞り取られた洗浄液が下方に排水されるように構成されている。また、この下側絞りローラ５ｄのさらに上流側には、上記下側清掃ブラシ５ｎが設けられている。
【００３２】
上下一対の吸水ローラ５ａ，５ｂは、詳細は図示しないが、金属からなる軸心部と、その外側に設けられた、例えばスポンジ状をした樹脂製の円筒部とからなり、上側及び下側の絞りローラ５ｃ，５ｄは、金属製の円筒部からなっている。また、上記上側及び下側の清掃ブラシ５ｍ，５ｎは、上記吸水ローラ５ａ，５ｂの軸方向に沿って延びる長方形ブラシである。
【００３３】
上記上下一対の吸水ローラ５ａ，５ｂと上側及び下側の絞りローラ５ｃ，５ｄとは、乾燥ユニット５ｋとして一体に組み込まれており、上記上側及び下側の清掃ブラシ５ｍ，５ｎはこの乾燥ユニット５ｋに着脱可能に取付けられている。この乾燥ユニット５ｋを説明するために、図３に乾燥ユニット５ｋの正面図、図４にその側面断面図、図５に上記清掃ブラシ５ｍ、５ｎを取外す途中の乾燥ユニット５ｋの斜視図を示す。
【００３４】
この乾燥ユニット５ｋは、ステンレス等の鋼板が折り曲げられて形成された上フレーム５ｐ及び下フレーム５ｑを有し、この上フレーム５ｐ及び下フレーム５ｑが左右の側板５ｒ，５ｓにその端部をビス等により固定されて、乾燥ユニット５ｋの枠体が構成されている。そして、この枠体を構成している上フレーム５ｐ及び下フレーム５ｑが、メダル洗浄装置１０の本体２に設けられた断面コの字状の上側支持枠２ｅ及び下側支持枠２ｆ（図２）に嵌り込むことによって、この乾燥ユニット５ｋは本体２に対してスライド可能に支持され、本体２に着脱させることができるようになっている。
【００３５】
上記側板５ｒ，５ｓには、上記各種ローラ５ａ，５ｂ，５ｃ，５ｄを回動可能に支持する軸受けが取付けられていることによって、これらのローラ５ａ，５ｂ，５ｃ，５ｄが乾燥ユニット５ｋに一体に組み込まれている。
【００３６】
上記上フレーム５ｐは、上記上側吸水ローラ５ａとの間にこの上側吸水ローラ５ａに押し付けられる上記上側清掃ブラシ５ｍを配設するための空間部を有するようにその形状が形成されているとともに、側板５ｒ，５ｓにもこの空間部の左右に対応する位置に切欠が形成されているために、図５に示すように、この空間部に側板５ｒ（または５ｓ）側から上側洗浄ブラシ５ｍを挿入できるようになっている。また、上記空間部における上側清掃ブラシ５ｍが上側吸水ローラ５ａに押し付けられる方向の寸法は、この清掃ブラシ５ｍの厚さよりも小さく設定されているために、この空間部に上側清掃ブラシ５ｍを挿入するだけで、上側清掃ブラシ５ｍを上側吸水ローラ５ａに押し付けることができる。
【００３７】
同様に、下フレーム５ｑも下側吸水ローラ５ｂとの間に上記下側清掃ブラシ５ｎを配設するための空間部を有するようにその形状が形成されているために、この空間部に下側清掃ブラシ５ｎが側板５ｒ（または５ｓ）側から挿入できるようになっている。また、この下側の空間部も、空間部における下側清掃ブラシ５ｎが下側吸水ローラ５ｂに押し付けられる方向の寸法が、この清掃ブラシ５ｎの厚さよりも小さく設定されているために、この空間部に下側清掃ブラシ５ｎを挿入するだけで、下側清掃ブラシ５ｎを下側吸水ローラ５ｂに押し付けることができる。
【００３８】
このように、上側及び下側の清掃ブラシ５ｍ，５ｎを側板５ｒ（または５ｓ）側から挿入するだけでこの清掃ブラシ５ｍ，５ｎを吸水ローラ５ａ，５ｂに押し付けることができるように上フレーム５ｐ及び下フレーム５ｑが形成されているために、この上側及び下側の清掃ブラシ５ｍ，５ｎを乾燥ユニット５ｋに対して容易に着脱することができるようになっている。
【００３９】
この乾燥ユニット５ｋにおいて、上側絞りローラ５ｃと上側吸水ローラ５ａとは、相互に当接することにより、相互の接触部において滑りが発生しないように回転が同期されている。また、下側絞りローラ５ｄと下側吸水ローラ５ｂとも、相互に当接することにより、相互の接触部において滑りが発生しないように回転が同期されている。このように、絞りローラ５ｃ，５ｄが吸水ローラ５ａ，５ｂの回転に伴ってその回転方向と逆方向に回転することにより、これら絞りローラ５ｃ，５ｄと吸水ローラ５ａ，５ｂとの間の摩擦を低減させることができ、この摩擦によって生じる吸水ローラ５ａ，５ｂの磨耗を抑制することができる。
【００４０】
また、上側絞りローラ５ｃと下側絞りローラ５ｄとには、本実施形態では、それぞれの表面に、排水孔５ｅが設けられており、上側絞りローラ５ｃの表面と下側絞りローラ５ｄの表面とに滞留する洗浄液を下方に逃すことができるように構成されている。
【００４１】
そして、これら絞りローラ５ｃ，５ｄにより吸水ローラ５ａ，５ｂから絞られた水と、洗浄ブラシ４ａと整列ブラシ４ｂとによりメダル１の汚れを洗い流した水とは、本体２の下方全域に設けられた洗浄液回収部５ｇに回収され、その洗浄液回収部５ｇの排水口５ｈの下方には、図略の濾過フィルタが充填された浄化部５ｊが配設されている。そして、図示しないが、さらにこの浄化部５ｊで濾過された水を前記散水管４ｃに循環するために、回収配管と、洗浄液タンクと、ポンプと、供給配管とがメダル洗浄装置１０に備えられている。
【００４２】
ここで、図６を参照して、回転ローラ３ｂと、吸水ローラ５ａ，５ｂと、絞りローラ５ｃ，５ｄとを駆動させる駆動機構６について説明する。
【００４３】
図６は、本発明の実施の形態に係るメダル洗浄装置１０の構成を駆動側から見た側面図であり、メダル１は、図６において、左から右へと移送される。
【００４４】
上記駆動機構６は、駆動モータ６ａと、ベルト６ｂ，６ｃとを備えており、駆動モータ６ａに設けられた駆動ローラ６ｄが、図６において時計周りに回転することにより、ベルト６ｂを介して、回転ローラ３ｂと下側吸水ローラ５ｂとが時計周りに回転するように構成されている。
【００４５】
そして、下側吸水ローラ５ｂが時計周りに回転することにより、上側吸水ローラ５ａが反時計周りに、上側絞りローラ５ｃが時計周りに、下側絞りローラ５ｄが反時計周りに回転する。
【００４６】
また、回転ローラ３ｂが、時計周りに回転することにより、ベルト６ｃを介して洗浄ブラシ４ａと整列ブラシ４ｂとが時計周りに回転する。また、他方の回転ローラ３ｃが、無端ベルト３ａを介して時計周りに回転する。
【００４７】
次に、図２を参照して、本発明の実施の形態に係るメダル洗浄装置１０の作用について説明する。
【００４８】
このメダル洗浄装置１０において、本体２の傾斜板２ａの上方からメダル１が投入されると、このメダル１は上記傾斜板２ａを滑るようにしてメダル移送手段３に供給され、無端ベルト３ａ上を搬送されていく過程で、整列ブラシ４により、１枚ずつに分離され、洗浄ブラシ４ａに送られる。
【００４９】
そして、この洗浄ブラシ４ａと散水管４ｃからの水（洗浄液）とによりメダル１に付着している汚れが掻き落とされ、汚れが洗浄される。
【００５０】
洗浄されたメダル１は、無端ベルト３ａの上端から排出された後、案内部材２ｇを介して上下一対の吸水ローラ５ａ，５ｂの間に噛込まれ、ここで洗浄液が吸収除去され、洗浄液が除去されたメダル１は、本体２の内部に設けたシュータ２ｈを通って下方に設けられた図略のメダルタンクに回収される。
【００５１】
一方、吸水ローラ５ａ，５ｂがメダル１に付着した水を吸収した時には、この水中に上記洗浄ブラシ４ａによってメダル１表面から掻き落とされた汚れが混ざっているため、この水中の汚れが吸水ローラ５ａ，５ｂの表面に付着する。この吸水ローラ５ａ，５ｂの表面に付着した汚れは、吸水ローラ５ａ，５ｂが回転することにより清掃ブラシ５ｍ，５ｎによって掻き取られる。
【００５２】
また、吸水ローラ５ａ，５ｂに吸収された水は、絞りローラ５ｃ，５ｄに絞られることにより吸水ローラ５ａ，５ｂの下方に排水される。
【００５３】
ここで、洗浄ブラシ４ａと整列ブラシ４ｂとによりメダル１の汚れを洗い流した水、及び吸水ローラ５ｂから絞りローラ５ｄにより絞られた水は、無端ベルト３ａの下方であって、本体２の内壁の全域にわたって設けられた洗浄液回収部５ｇに受けられる。また、上側吸水ローラ５ａから絞り取られた洗浄液は、上側絞りローラ５ｃの下方に配置された排水受け５ｆに一旦受けられ、図略の経路を通って洗浄液回収部５ｇに流れ込むように構成されている。
【００５４】
そして、これらの排水は、洗浄液回収部５ｇから、下方に配設された浄化部５ｊの図略の濾過フィルタで濾過され、この浄化部５ｊで濾過された水はさらにメダル洗浄装置１０に設けられた図略の回収配管と、洗浄液タンクと、ポンプと、供給配管とを介して循環し、前記散水管４ｃに再び供給される。
【００５５】
以上説明したように、本発明のメダル洗浄装置１０によれば、メダル洗浄後の汚れを含んだ洗浄液が付着したメダル１を挟み込んで当該洗浄液を吸収する吸水ローラ５ａ，５ｂに清掃ブラシ５ｍ，５ｎを押し付けることによって、この吸水ローラ５ａ，５ｂが上記洗浄液を吸収した時に当該吸水ローラ５ａ，５ｂの表面に付着する洗浄液中に含まれる汚れを、吸水ローラ５ａ，５ｂの回転により上記清掃ブラシ５ｍ，５ｎで掻き取ることができ、吸水ローラ５ａ，５ｂの目詰まりを防止することができる。よって、このメダル洗浄装置１０を運転しながら上記吸水ローラ５ａ，５ｂを清掃できるため、特許文献１に示されるような従来のメダル洗浄装置のように頻繁に吸水ローラ５ａ，５ｂを取外して清掃することを要せず、メダル洗浄装置１０のメンテナンス性を向上させることができる。
【００５６】
また、このメダル洗浄装置１０では、上記上下一対の吸水ローラ５ａ，５ｂと、この吸水ローラ５ａ，５ｂのそれぞれに押圧される絞りローラ５ｃ，５ｄとを一体に組み込んだ乾燥ユニット５ｋが、メダル洗浄装置１０に着脱可能に取付けられているとともに、この乾燥ユニット５ｋに上記清掃ブラシ５ｍ，５ｎが着脱可能に取付けられているので、上記清掃ブラシ５ｍ，５ｎが上記吸水ローラ５ａ，５ｂとの磨耗や劣化によって損傷したときには、この清掃ブラシ５ｍ，５ｎのみをメダル洗浄装置１０から取外して交換することも可能であるし、乾燥ユニット５ｋ全体をメダル洗浄装置１０から取外して上記吸水ローラ５ａ，５ｂ及び絞りローラ５ｃ，５ｄ等をメンテナンスすることも可能である。よって、本発明のメダル洗浄装置１０では、乾燥ユニット５ｋを構成する機器を容易にメンテナンスできるとともに、これらの機器を容易に交換することができる。
【００５７】
一方、このメダル洗浄装置１０では、上記絞りローラ５ｃ，５ｄが上記吸水ローラ５ａ，５ｂの回転に伴ってその回転方向と逆方向に回転することにより、これら絞りローラ５ｃ，５ｄと吸水ローラ５ａ，５ｂとの間の摩擦を低減させ、この摩擦によって生じる吸水ローラ５ａ，５ｂの磨耗が抑制されているために、上記清掃ブラシ５ｍ，５ｎの上記吸水ローラ５ａ，５ｂへの押し付け力の調整頻度を低減させることができる。吸水ローラ５ａ，５ｂが磨耗してその径が小さくなれば、それに合わせて清掃ブラシ５ｍ，５ｎの押し付け力を調整する必要があるからである。
【００５８】
また、整列ブラシ４ｂが、回転しながらブラシの先端で一枚を越える余分なメダル１を排除するとともに、洗浄ブラシ４ａが、整列ブラシ４ｂと移送手段３との間の間隙を通過したメダル１を一枚ずつブラッシングするので、メダル洗浄装置１０に供給されたすべてのメダル１をもれなく洗浄することができる。
【００５９】
上述した実施の形態は本発明の好ましい具体例を例示したものに過ぎず、本発明は上述した実施の形態に限定されない。
【００６０】
例えば、メダル１は、スロットマシンに用いられるメダルに限定されない。また、円形コイン状の金属製部材にも限定されない。各種遊技において貨幣に代わる遊技媒体として用いられるものであれば、種々の材質、形状のメダルが採用可能である。
【００６１】
本体２も、ステンレスや合成樹脂被覆鋼板などで矩形に組み立てられた箱体に限定されず、材質、形状など種々の設計変更が可能である。
【００６２】
その他、傾斜板２ａ、落下防止板２ｂ、仕切り板２ｃ，２ｄ、支持枠２ｅ，２ｆなども必ずしも図示の形状に限定されず、種々の設計変更が可能である。
【００６３】
また、駆動機構６も、必ずしも図示の形状に限定されず、例えば回転ローラ３ｂと下側吸水ローラ５ｂ、その他を個別に駆動するなど、種々の駆動方法が採用可能である。
【００６４】
なお、本実施形態では、一対の吸水ローラ５ａ，５ｂがメダル洗浄装置１０の上下方向で配置されている形態を示したが、必ずしもこの配置である必要はなく、移送手段３がメダル１を立てた状態で搬送するものであれば、一対の吸水ローラ５ａ，５ｂの配置はメダル洗浄装置１０の左右方向であってもかまわない。
【００６５】
また、絞りローラ５ｃ，５ｄは、吸水ローラ５ａ，５ｂの回転に伴って回転せずに固定式であっても吸水ローラ５ａ，５ｂに吸収された洗浄液を絞り取ることは可能であるが、好ましくは本実施形態のように、絞りローラ５ｃ，５ｄが吸水ローラ５ａ，５ｂの回転に伴ってその回転方向と逆方向に回転するように構成すれば、両ローラ５ａ，５ｃ（または５ｂ，５ｄ）の磨耗による損傷を抑えることができる。
【００６６】
さらには、本実施形態では、清掃ブラシ５ｍ，５ｎが長方形ブラシである形態を示したが、その他にも例えば清掃ブラシ５ｍ，５ｎとして回転ブラシを採用し、この回転ブラシを吸水ローラ５ａ，５ｂの回転方向と逆方向に回転させて吸水ローラ５ａ，５ｂの表面に付着した異物を掻き取ることも可能である等、清掃ブラシ５ｍ，５ｎについても種々のブラシが採用可能である。
【００６７】
その他、本発明の特許請求の範囲内で種々の設計変更が可能であることはいうまでもない。
【図面の簡単な説明】
【００６８】
【図１】本発明の実施の形態に係るメダル洗浄装置がケースに収容されたときの外観を示す斜視図である。
【図２】上記メダル洗浄装置１０の構成を示す側面断面図である。
【図３】本発明に係る乾燥ユニットの正面図である。
【図４】上図のＩ−Ｉ側面断面図である。
【図５】本発明に係る洗浄ブラシを乾燥ユニットから取外す途中の状態を示す斜視図である。
【図６】本発明の実施の形態に係るメダル洗浄装置の構成を駆動側から見た側面図である。
【符号の説明】
【００６９】
１    メダル
３    メダル移送手段
４    洗浄手段
４ａ  洗浄ブラシ
４ｂ  整列ブラシ
５    洗浄液除去手段
５ａ，５ｂ  吸水ローラ
５ｃ，５ｄ  絞りローラ
５ｋ  乾燥ユニット
５ｍ，５ｎ  清掃ブラシ
１０  メダル洗浄装置
【図１】
2005192602.tif 000003
【図２】
2005192602.tif 000004
【図３】
2005192602.tif 000005
【図４】
2005192602.tif 000006
【図５】
2005192602.tif 000007
【図６】
2005192602.tif 000008